(57)【要約】      （修正有）【課題】印刷機に対して印刷用版を簡単に取り付ける。【解決手段】印刷用版２は、長方形状の弾性材料製シートが円筒状に形成されて両端部が重ね合わされて接合されている。接合部分８の内側に位置するシートの端部が内側に折り曲げられて、係合部６が形成されている。接合部分８を除く版本体の外周面の所定箇所に版部５が設けられている。版シリンダ部１２の外周円筒面の一部が取り除かれて版固定部材装着面１８が形成され、ここに配置された版固定部材２４が、印刷用版２の接合部分８を径方向内側から外側に押して拡径させることにより、印刷用版２は版シリンダ部１２に固定される。【選択図】図９
2010253794.tif 000002
【特許請求の範囲】
【請求項１】
版部となる樹脂層が片面に形成された長方形状の弾性材料製シートをシリンダ部材の外周面に巻き付けて丸め、該シートの両端部を重ね合わせて円筒状に接合する円筒材成形工程と、
版部に印刷模様を彫刻する版部彫刻工程と、
製造された円筒状の印刷用版を印刷機のシリンダに装着する印刷版装着工程と、
印刷機により印刷対象物に対して印刷模様を印刷する印刷工程と、
を備えることを特徴とする印刷方法。
【請求項２】
円筒材成形工程の後に版部彫刻工程を行う請求項１記載の印刷方法。
【請求項３】
印刷対象物が缶である請求項１または２に記載の印刷方法。
【請求項４】
版部となる樹脂層が片面に形成された長方形状の弾性材料製シートをシリンダ部材の外周面に巻き付けて丸め、該シートの両端部を重ね合わせて円筒状に接合する円筒材成形工程と、
版部に印刷模様を彫刻する版部彫刻工程と、
を備えることを特徴とする印刷用版の製造方法。
【請求項５】
円筒材成形工程の後に彫刻工程を行う請求項４記載の印刷用版の製造方法。
【請求項６】
弾性材料製シートの一辺の端部を樹脂層が形成された面の反対側に折り曲げて係合部を形成しておき、
円筒材成形工程は、この係合部をシリンダ部材の外周面に形成された係合溝に係合させた状態で、弾性材料製シートをシリンダの外周面に巻き付けて丸める請求項４または５に記載の印刷用版の製造方法。
【請求項７】
円筒材成形工程に先立って、弾性材料製シートの樹脂層のうち、版部とならない非版部を除去する請求項４〜６のいずれかに記載の印刷用版の製造方法。
【請求項８】
版部彫刻工程に先立って、版部のうち印刷模様が形成されない非印刷部の樹脂層の少なくとも表面を除去する請求項４〜７のいずれかに記載の印刷用版の製造方法。
【請求項９】
版部となる樹脂層として紫外線硬化樹脂を用いる請求項４〜８のいずれかに記載の印刷用版の製造方法。
【請求項１０】
版部彫刻工程に先立って、版部のうち印刷模様が形成される印刷部に紫外線を照射して硬化させ、印刷に必要な版部分を残し水洗乾燥させる水洗・乾燥工程を行う請求項９に記載の印刷用版の製造方法。
【請求項１１】
版部彫刻工程は、レーザー彫刻機を使用して印刷模様を彫刻する請求項４〜１０のいずれかに記載の印刷用版の製造方法。
【請求項１２】
弾性材料により円筒状に形成された版本体の外周部の一部に版部が設けられ、版本体の内周に内向きに突出して軸方向に延びる係合部が形成されている印刷用版を装着するために、印刷機の版駆動軸に固定状に設けられる装置であって、
版駆動軸に固定状に設けられて外周に版駆動軸の先端側から印刷用版が装着される円筒状の版装着面を有する版シリンダ部を備えており、
版シリンダ部の外周に、版駆動軸の先端側から印刷用版の係合部が嵌められる周方向位置決め用溝と、印刷用版の端部が当接する軸方向位置決め用ストッパと、が設けられていることを特徴とする印刷用版の装着装置。
【請求項１３】
前記周方向位置決め用溝は、その底部が開口部より回転方向後側になるように形成され、
前記周方向位置決め用溝が前記版装着面を含む円筒面とのなす角度が、前記印刷用版の係合部が当該印刷用版がなす円筒面とのなす角度よりも小さく設定されていることを特徴とする請求項１２に記載の印刷用版の装着装置。
【請求項１４】
版シリンダ部の外周に、版シリンダ部に装着された印刷用版の一部分を径方向内側から径方向外側に押して該部分を拡径することにより、印刷用版を版シリンダ部の版装着面に密着固定させる版固定部材が設けられていることを特徴とする請求項１２または１３に記載の印刷用版の装着装置。
【請求項１５】
版固定部材が、版シリンダ部の版装着面を含む円筒面より内側に没入した位置と前記没入した位置より外側の位置との間を移動できて、かつ任意の位置に固定できるものであることを特徴とする請求項１４に記載の印刷用版の装着装置。
【請求項１６】
版固定部材は、版シリンダに装着された印刷用版の版部が形成されていない非版部を径方向内側から径方向外側に押す位置に配置されている請求項１４または１５に記載の印刷用版の装着装置。
【請求項１７】
印刷用版は、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられてなり、
版固定部材は、版シリンダに装着された印刷用版のシートの両端部が重ね合わされた重ね合わせ部を径方向内側から径方向外側に押す位置に配置されている請求項１４〜１６のいずれかに記載の印刷用版の装着装置。
【請求項１８】
版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられていることを特徴とする請求項１４〜１７のいずれかに記載の印刷用版の装着装置。
【請求項１９】
版固定部材装着面の凹所の底に形成された楔部材用凹所に、径方向外側に楔面を有する楔部材が軸方向に移動しうるようにはめられ、
版シリンダ部に、楔部材を軸方向に移動させて任意の位置に停止させるためのねじ手段が設けられ、
版固定部材の径方向内側に楔部材の楔面と当接する楔面が形成されている請求項１８に記載の印刷用版の装着装置。
【請求項２０】
版シリンダ部または楔部材と版固定装置との間に、永久磁石を用いて版固定部材を径方向内向きに付勢することにより版固定部材の楔面を楔部材の楔面に圧接させる付勢手段が設けられている請求項１９に記載の印刷用版の装着装置。
【請求項２１】
版固定部材は、印刷用版の版部を含む外表面が形成する円筒面の内側の範囲内で、版シリンダ部に装着された印刷用版の一部を径方向内側から径方向外側に押して拡径する請求項１８〜２０のいずれかに記載の印刷用版の装着装置。
【請求項２２】
版シリンダ部の内部に、空気供給手段により圧縮空気が供給される空気室が形成されており、版シリンダ部の先端側の外径が、先端に行くにつれて小さくなっており、この外径が小さくなった部分を含む版シリンダ部の外周面の軸方向および周方向の複数箇所に、空気室と連通する空気流出穴が形成されていることを特徴とする請求項１２〜２１のいずれかに記載の印刷用版の装着装置。
【請求項２３】
請求項１２〜２２のいずれかに記載の印刷用版の装着装置を備えたことを特徴とする印刷機。
【請求項２４】
請求項１２〜２２のいずれかに記載の印刷用版の装着装置を備えた印刷機と、
前記印刷機と同じ印刷用版の装着装置を備え、装着された印刷用版の版部に対して印刷模様を彫刻する彫刻機と、
を備えたことを特徴とする印刷システム。
【請求項２５】
弾性材料により円筒状に形成された版本体と、
版本体の内周に内向きに突出して軸方向に延びる係合部と、
版本体の外周面に形成された版部と、
を備えていることとを特徴とする印刷用版。
【請求項２６】
前記版本体は、長方形状の弾性材料製シートが円筒状に形成されて両端部が重ね合わされて接合されることにより構成され、
前記係合部は、接合部分の内側に位置するシートの端部が内側に折り曲げられて形成され、
前記版部は、接合部分を除く所定箇所に設けられていることを特徴とする請求項２５に記載の印刷用版。
【請求項２７】
前記係合部の折り曲げ角度は９０度より大きい請求項２６に記載の印刷用版。
【発明の詳細な説明】
【技術分野】
【０００１】
この発明は、印刷用版、印刷機および印刷方法に関する。
【背景技術】
【０００２】
印刷機として、版駆動軸に固定される版シリンダの外周に版が装着されるようになったものが知られている。
【発明の概要】
【発明が解決しようとする課題】
【０００３】
上記のような印刷機では、版駆動軸に固定された状態の版シリンダに、シート状の版を巻き付けて装着することがある。その場合、印刷機内での版の装着作業が面倒で、版シリンダに版を正確に取り付けることが困難である。
【０００４】
これを避けるため、版駆動軸から取り外した状態の版シリンダにシート状の版を巻き付けて装着した後に、版シリンダを版駆動軸に固定することもある。この場合、版シリンダはかなりの重量を有するので、版駆動軸に対する版シリンダの取り外し、取り付け作業が困難である。
【０００５】
この発明の目的は、上記の問題を解決し、印刷機に対して版を簡単に取り付けることを可能にする印刷用版および印刷機を提供することにある。
【課題を解決するための手段】
【０００６】
本発明は、以下の手段を提供する。
【０００７】
［１］版部となる樹脂層が片面に形成された長方形状の弾性材料製シートをシリンダ部材の外周面に巻き付けて丸め、該シートの両端部を重ね合わせて円筒状に接合する円筒材成形工程と、
版部に印刷模様を彫刻する版部彫刻工程と、
製造された円筒状の印刷用版を印刷機のシリンダに装着する印刷版装着工程と、
印刷機により印刷対象物に対して印刷模様を印刷する印刷工程と、
を備えることを特徴とする印刷方法。
【０００８】
［２］円筒材成形工程の後に版部彫刻工程を行う前項１記載の印刷方法。
【０００９】
［３］印刷対象物が缶である前項１または２に記載の印刷方法。
【００１０】
［４］版部となる樹脂層が片面に形成された長方形状の弾性材料製シートをシリンダ部材の外周面に巻き付けて丸め、該シートの両端部を重ね合わせて円筒状に接合する円筒材成形工程と、
版部に印刷模様を彫刻する版部彫刻工程と、
を備えることを特徴とする印刷用版の製造方法。
【００１１】
［５］円筒材成形工程の後に彫刻工程を行う前項４記載の印刷用版の製造方法。
【００１２】
［６］弾性材料製シートの一辺の端部を樹脂層が形成された面の反対側に折り曲げて係合部を形成しておき、
円筒材成形工程は、この係合部をシリンダ部材の外周面に形成された係合溝に係合させた状態で、弾性材料製シートをシリンダの外周面に巻き付けて丸める前項４または５に記載の印刷用版の製造方法。
【００１３】
［７］円筒材成形工程に先立って、弾性材料製シートの樹脂層のうち、版部とならない非版部を除去する前項４〜６のいずれかに記載の印刷用版の製造方法。
【００１４】
［８］版部彫刻工程に先立って、版部のうち印刷模様が形成されない非印刷部の樹脂層の少なくとも表面を除去する前項４〜７のいずれかに記載の印刷用版の製造方法。
【００１５】
［９］版部となる樹脂層として紫外線硬化樹脂を用いる前項４〜８のいずれかに記載の印刷用版の製造方法。
【００１６】
［１０］版部彫刻工程に先立って、版部のうち印刷模様が形成される印刷部に紫外線を照射して硬化させ、印刷に必要な版部分を残し水洗乾燥させる水洗・乾燥工程を行う前項９に記載の印刷用版の製造方法。
【００１７】
［１１］版部彫刻工程は、レーザー彫刻機を使用して印刷模様を彫刻する前項４〜１０のいずれかに記載の印刷用版の製造方法。
【００１８】
［１２］弾性材料により円筒状に形成された版本体の外周部の一部に版部が設けられ、版本体の内周に内向きに突出して軸方向に延びる係合部が形成されている印刷用版を装着するために、印刷機の版駆動軸に固定状に設けられる装置であって、
版駆動軸に固定状に設けられて外周に版駆動軸の先端側から印刷用版が装着される円筒状の版装着面を有する版シリンダ部を備えており、
版シリンダ部の外周に、版駆動軸の先端側から印刷用版の係合部が嵌められる周方向位置決め用溝と、印刷用版の端部が当接する軸方向位置決め用ストッパと、が設けられていることを特徴とする印刷用版の装着装置。
【００１９】
［１３］前記周方向位置決め用溝は、その底部が開口部より回転方向後側になるように形成され、
前記周方向位置決め用溝が前記版装着面を含む円筒面とのなす角度が、前記印刷用版の係合部が当該印刷用版がなす円筒面とのなす角度よりも小さく設定されていることを特徴とする前項１２に記載の印刷用版の装着装置。
【００２０】
［１４］版シリンダ部の外周に、版シリンダ部に装着された印刷用版の一部分を径方向内側から径方向外側に押して該部分を拡径することにより、印刷用版を版シリンダ部の版装着面に密着固定させる版固定部材が設けられていることを特徴とする前項１２または１３に記載の印刷用版の装着装置。
【００２１】
［１５］版固定部材が、版シリンダ部の版装着面を含む円筒面より内側に没入した位置と前記没入した位置より外側の位置との間を移動できて、かつ任意の位置に固定できるものであることを特徴とする前項１４に記載の印刷用版の装着装置。
【００２２】
［１６］版固定部材は、版シリンダに装着された印刷用版の版部が形成されていない非版部を径方向内側から径方向外側に押す位置に配置されている前項１４または１５に記載の印刷用版の装着装置。
【００２３】
［１７］印刷用版は、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられてなり、
版固定部材は、版シリンダに装着された印刷用版のシートの両端部が重ね合わされた重ね合わせ部を径方向内側から径方向外側に押す位置に配置されている前項１４〜１６のいずれかに記載の印刷用版の装着装置。
【００２４】
［１８］版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられていることを特徴とする前項１４〜１７のいずれかに記載の印刷用版の装着装置。
【００２５】
［１９］版固定部材装着面の凹所の底に形成された楔部材用凹所に、径方向外側に楔面を有する楔部材が軸方向に移動しうるようにはめられ、
版シリンダ部に、楔部材を軸方向に移動させて任意の位置に停止させるためのねじ手段が設けられ、
版固定部材の径方向内側に楔部材の楔面と当接する楔面が形成されている前項１８に記載の印刷用版の装着装置。
【００２６】
［２０］版シリンダ部または楔部材と版固定装置との間に、永久磁石を用いて版固定部材を径方向内向きに付勢することにより版固定部材の楔面を楔部材の楔面に圧接させる付勢手段が設けられている前項１９に記載の印刷用版の装着装置。
【００２７】
［２１］版固定部材は、印刷用版の版部を含む外表面が形成する円筒面の内側の範囲内で、版シリンダ部に装着された印刷用版の一部を径方向内側から径方向外側に押して拡径する前項１８〜２０のいずれかに記載の印刷用版の装着装置。
【００２８】
［２２］版シリンダ部の内部に、空気供給手段により圧縮空気が供給される空気室が形成されており、版シリンダ部の先端側の外径が、先端に行くにつれて小さくなっており、この外径が小さくなった部分を含む版シリンダ部の外周面の軸方向および周方向の複数箇所に、空気室と連通する空気流出穴が形成されていることを特徴とする前項１２〜２１のいずれかに記載の印刷用版の装着装置。
【００２９】
［２３］前項１２〜２２のいずれかに記載の印刷用版の装着装置を備えたことを特徴とする印刷機。
【００３０】
［２４］前項１２〜２２のいずれかに記載の印刷用版の装着装置を備えた印刷機と、
前記印刷機と同じ印刷用版の装着装置を備え、装着された印刷用版の版部に対して印刷模様を彫刻する彫刻機と、
を備えたことを特徴とする印刷システム。
【００３１】
［２５］弾性材料により円筒状に形成された版本体と、
版本体の内周に内向きに突出して軸方向に延びる係合部と、
版本体の外周面に形成された版部と、
を備えていることとを特徴とする印刷用版。
【００３２】
［２６］前記版本体は、長方形状の弾性材料製シートが円筒状に形成されて両端部が重ね合わされて接合されることにより構成され、
前記係合部は、接合部分の内側に位置するシートの端部が内側に折り曲げられて形成され、
前記版部は、接合部分を除く所定箇所に設けられていることを特徴とする前項２５に記載の印刷用版。
【００３３】
［２７］前記係合部の折り曲げ角度は９０度より大きい前項２６に記載の印刷用版。
【発明の効果】
【００３４】
上記発明［１］によると、版部となる樹脂層が片面に形成された長方形状の弾性材料製シートをシリンダ部材の外周面に巻き付けて丸め、該シートの両端部を重ね合わせて円筒状に接合するため、シートの端面を突き合わせ溶接する場合等と比較して、円筒状の印刷用版を容易に製造することができる。また、このような円筒状の印刷用版を印刷機のシリンダに装着して印刷するため、印刷用版の印刷機への取り付けおよび取り外しを簡単に行うことができる。
【００３５】
なお、この本発明において、「版部」という用語は、既に版が形成されている部分（製版済みの部分）および版を形成するための部分であってまだ版が形成されていない部分（製版前の部分）の両方を含む意味で用いる。
【００３６】
上記発明［２］によると、円筒材成形工程の後に版部彫刻工程を行うため、予め円筒状に成形された印刷用版の所定位置に正確に版部の印刷模様を形成することができる。特に、１つの印刷用版に対して複数の版部、たとえば２つの版部を形成する場合には、彫刻機において複数の版部の印刷模様の位置を決められるため、各版部に形成された印刷模様間の相対的な位置合わせを正確に行うことができる。
【００３７】
上記発明［３］によると、印刷対象物が缶であるため一般に缶は商品毎に異なる印刷用版を用いることが求められるところ、印刷用版の切換を速やかに行って、効率的な印刷を行うことができる。
【００３８】
上記発明［４］によると、版部となる樹脂層が片面に形成された長方形状の弾性材料製シートをシリンダ部材の外周面に巻き付けて丸め、該シートの両端部を重ね合わせて円筒状に接合するため、シートの端面を突き合わせ溶接する場合等と比較して、円筒状の印刷用版を容易に製造することができる。また、このような円筒状の印刷用版を印刷機のシリンダに装着して印刷するため、印刷用版の印刷機への取り付けおよび取り外しを簡単に行うことができる。
【００３９】
上記発明［５］によると、円筒材成形工程の後に版部彫刻工程を行うため、予め円筒状に成形された印刷用版の所定位置に正確に版部の印刷模様を形成することができる。特に、１つの印刷用版に対して複数の版部、たとえば２つの版部を形成する場合には、彫刻機において複数の版部の印刷模様の位置を決められるため、各版部に形成された印刷模様間の相対的な位置合わせを正確に行うことができる。
【００４０】
上記発明［６］によると、弾性材料製シートの一辺の端部を樹脂層が形成された面の反対側に折り曲げて係合部を形成しておき、円筒材成形工程は、この係合部をシリンダ部材の外周面に形成された係合溝に係合させた状態で、弾性材料製シートをシリンダの外周面に巻き付けて丸めるため、弾性材料製シートの端部の位置を固定して簡単に円筒形状に成形することができ、高い形状精度を得ることができる。
【００４１】
上記発明［７］によると、円筒材成形工程に先立って、弾性材料製シートの樹脂層のうち、版部とならない非版部を除去するため、非版部を曲げやすくなり、円筒材への成形をより容易に行うことができる。
【００４２】
上記発明［８］によると、版部彫刻工程に先立って、版部のうち印刷模様が形成されない非印刷部の樹脂層の少なくとも表面を除去するため、版部彫刻工程において非印刷部の樹脂層に対する彫刻時間を低減して、効率的に版部を形成することができる。
【００４３】
上記発明［９］によると、版部となる樹脂層として紫外線硬化樹脂を用いるため、それ以外の硬化樹脂のような溶剤や高圧スチームによる煩雑な洗浄作業を必要とせず、一般に水洗浄で容易に洗浄作業を行うことができる。
【００４４】
上記発明［１０］によると、版部彫刻工程に先立って、版部のうち印刷模様が形成される印刷部に紫外線を照射して硬化させ、印刷に必要な版部分を残し水洗乾燥させる水洗・乾燥工程を行うため、版部彫刻工程において非印刷部の樹脂層に対する彫刻時間を低減して、効率的に版部を形成することができる。
【００４５】
上記発明［１１］によると、版部彫刻工程は、レーザー彫刻機を使用して印刷模様を彫刻するため、従来のフォトエッチング等に比較して、より解像度の高い線数の彫刻ができる。またネガフィルム工程が不要のため、予め硬化させた板に直接彫刻することができ、作業が簡素化される。
【００４６】
上記発明［１２］によると、弾性材料により円筒状に形成された版本体の外周部の一部に版部が設けられ、版本体の内周に内向きに突出して軸方向に延びる係合部が形成されている印刷用版を装着するために、印刷機の版駆動軸に固定状に設けられる装置であって、版駆動軸に固定状に設けられて外周に版駆動軸の先端側から印刷用版が装着される円筒状の版装着面を有する版シリンダ部を備えており、版シリンダ部の外周に、版駆動軸の先端側から印刷用版の係合部が嵌められる周方向位置決め用溝と、印刷用版の端部が当接する軸方向位置決め用ストッパと、が設けられているため、印刷用版の係合部が版シリンダ部の周方向位置決め用溝にはまるように、印刷用版を版シリンダ部の外周に一端側からはめ、印刷用版の端部を軸方向位置決め用ストッパに当接させることにより、印刷用版の径方向および軸方向の位置決めがなされ、印刷用版を版シリンダ部の所定位置に正確かつ簡単に取り付けることができる。
【００４７】
上記発明［１３］によると、前記周方向位置決め用溝は、その底部が開口部より回転方向後側になるように形成され、前記周方向位置決め用溝が前記版装着面を含む円筒面とのなす角度が、前記印刷用版の係合部が当該印刷用版がなす円筒面とのなす角度よりも小さく設定されているため、印刷用版の係合部の先端が周方向位置決め用溝の内面の係合部から遠い側に接し、係合部の基端部分が溝の内面の係合部に近い側と接触することで、係合部が長さ方向に溝幅内の２点で押さえられることとなり、この結果、版の位置決めが１点に動かずに決まり、装着後も版の回転によるずれを効果的に防止することができる。
【００４８】
上記発明［１４］によると、版シリンダ部の外周に、版シリンダ部に装着された印刷用版の一部分を径方向内側から径方向外側に押して該部分を拡径することにより、印刷用版を版シリンダ部の版装着面に密着固定させる版固定部材が設けられているため、版シリンダ部に装着された印刷用版を版シリンダ部の版装着面に簡単に固定することができる。
【００４９】
上記発明［１５］によると、版固定部材が、版シリンダ部の版装着面を含む円筒面より内側に没入した位置と前記没入した位置より外側の位置との間を移動できて、かつ任意の位置に固定できるものであるため、版を版シリンダ部に取り付けるときおよび取り外すときには、版固定部座を版装着面を含む円筒面より内側に没入した位置に固定して版を押さない状態にする。そして、版が版シリンダ部に取り付けられた後に、版固定部材を版装着面を含む円筒面より外側に突出する位置に固定することにより、版を径方向外側に押し、版装着面に密着させて固定する。このようにすれば、版固定部材を移動させて任意の位置に固定するだけで、版の取り付け・取り外しおよび版の固定を簡単に行うことができる。
【００５０】
上記発明［１６］によると、版固定部材は、版シリンダに装着された印刷用版の版部が形成されていない非版部を径方向内側から径方向外側に押す位置に配置されているため、版部が径方向外側に押されることがなく、版部の変形を抑えて、印刷品質の低下を防止することができる。
【００５１】
上記発明［１７］によると、印刷用版は、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられてなり、版固定部材は、版シリンダに装着された印刷用版のシートの両端部が重ね合わされた重ね合わせ部を径方向内側から径方向外側に押す位置に配置されているため、版部が径方向外側に押されることがなく、版部の変形を抑えて、印刷品質の低下を防止することができる。
【００５２】
上記発明［１８］によると、版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられているため、版シリンダ部の周方向の一部が取り除かれることで版シリンダ部の周長が実質的に短くなり、円筒状の印刷用版の挿入が容易である。また、版固定部材によって径方向外側に押される印刷用版の部位は、版シリンダ部の周方向の一部が取り除かれることで他の部位より径寸法が小さくなっているため、版固定部材に押された部位が印刷用版の他の部位より径方向外側に突出する事態を回避ないし軽減することができる。
【００５３】
上記発明［１９］によると、版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成されているため、ねじ手段で楔部材を移動させて任意の位置に固定するだけで、版の取り付け・取り外しおよび版の固定を簡単に行うことができる。
【００５４】
上記発明［２０］によると、版シリンダ部または楔部材と版固定装置との間に、永久磁石を用いて版固定部材を径方向内向きに付勢することにより版固定部材の楔面を楔部材の楔面に圧接させる付勢手段が設けられているため、版固定部材によって印刷用版を押させないときには、版固定部材を径方向内側の位置に保持することができる。
【００５５】
上記発明［２１］によると、版固定部材は、印刷用版の版部を含む外表面が形成する円筒面の内側の範囲内で、版シリンダ部に装着された印刷用版の一部を径方向内側から径方向外側に押して拡径するため、版固定部材により径方向外側に押されて拡径した印刷用版の一部が、印刷用版の版部を含む外表面が形成する円筒面より外側にはみ出し、印刷用インキ等がその部分に付着して印刷汚れの原因となる事態を未然に防止することができる。
【００５６】
上記発明［２２］によると、版シリンダ部の内部に、空気供給手段により圧縮空気が供給される空気室が形成されており、版シリンダ部の先端側の外径が、先端に行くにつれて小さくなっており、この外径が小さくなった部分を含む版シリンダ部の外周面の軸方向および周方向の複数箇所に、空気室と連通する空気流出穴が形成されているため、空気流出穴から空気を流出させることで、版シリンダ部と印刷用版との間に空気層を形成して、版シリンダ部に印刷用版を容易に装着し、あるいは版シリンダ部から印刷用版を容易に取り外すことができる。
【００５７】
上記発明［２３］によると、印刷機は、前記印刷用版の装着装置を備えたため、印刷機に対する円筒状の版の取り付け及び取り外しを極めて簡単に行うことができる。
【００５８】
上記発明［２４］によると、印刷システムは、前記印刷用版の装着装置を備えた印刷機と、前記印刷機と同じ印刷用版の装着装置を備えた彫刻機とを備えたため、印刷機における印刷工程と同じ条件下で彫刻機における版部彫刻工程を行うことができ、両工程間での版部の位置ずれを解消することができる。
【００５９】
上記発明［２５］によると、印刷用版において、弾性材料により円筒状に形成された版本体と、版本体の内周に内向きに突出して軸方向に延びる係合部と、版本体の外周面に形成された版部と、を備えるものとしたため、係合部において印刷用版の装着装置の版シリンダ部と係合させることができ、これにより版シリンダ部に対して高い取り付け位置精度を得ることができる。
【００６０】
上記発明［２６］によると、前記版本体は、長方形状の弾性材料製シートが円筒状に形成されて両端部が重ね合わされて接合されることにより構成され、前記係合部は、接合部分の内側に位置するシートの端部が内側に折り曲げられて形成され、前記版部は、接合部分を除く所定箇所に設けられているようにしたため、シートの端面を突き合わせ溶接する場合等と比較して、円筒状の印刷用版を容易に製造することができ、また、係合部において印刷機の版シリンダ部との位置決め精度を得ながら印刷機への取り付けおよび取り外しを簡単に行うことができる。
【００６１】
上記発明［２７］によると、前記係合部の折り曲げ角度は９０度より大きいようにしたため、係合部の先端側が回転方向後側を向くことになり、版シリンダが回転すると、係合部が溝に食い込み、版の位置がずれることがない。
【００６２】
なお、本発明において、「折り曲げ角度」は、平坦なシートの状態から実際に係合部が折り曲げられた角度である。したがって、係合部と隣接するシートの部分とのなす角度（シート・係合部間角度）は、１８０度から折り曲げ角度を減じた値となる。係合部の折り曲げ角度を９０度より大きくすると、シート・係合部間角度は９０度より小さくなる。
【００６３】
折り曲げ角度は１２５度〜１４５度（シート・係合部間角度は５５度〜３５度）が好ましく、折り曲げ角度は１３５度（シート・係合部間角度は４５度）が最も好ましい。
【図面の簡単な説明】
【００６４】
【図１】図１は、印刷機または彫刻機の版駆動軸１に取り付けられて版２が装着された版装着装置３の縦断面図である。
【図２】図２は、図１の版装着装置３の正面図である。
【図３】図３は、版装着装置３の一部を示す平面図である。
【図４】図４は、版装着装置３の一部とそれに装着される前の版２の一部を拡大して示した縦断面図である。
【図５】図５は、図１のＶ−Ｖ線に沿う断面図（横断面図）である。
【図６】図６は、版２の製造工程のうち、円筒材成形工程を示す斜視図である。
【図７】図７は、図６の版形成前の状態の一部を拡大して示す側面図である。
【図８】図８は、版２の一連の製造工程を示す説明図である。
【図９】図９は、版シリンダ部に装着された版２の一部を拡大して示した縦断面図である。
【発明を実施するための形態】
【００６５】
以下、図面を参照して、この発明の実施形態について説明する。
【００６６】
図１は、印刷機の版駆動軸１に取り付けられて版２が装着された版装着装置３の縦断面図、図２は、図１の版装着装置３の正面図、図３は、版装着装置３の一部を示す平面図、図４は、版装着装置３の一部とそれに装着される前の印刷用版２の一部を拡大して示した縦断面図、図５は、図１のＶ−Ｖ線に沿う断面図（横断面図）、図６は、版２の製造工程のうち、円筒材成形工程を示す斜視図、図７は、図６の版形成前の状態の一部を拡大して示す側面図である。図８は、版２の一連の製造工程を示す説明図である。図９は、版シリンダ部に装着された版２の一部を拡大して示した縦断面図である。
【００６７】
以下の説明において、図１の上下を上下とし、図１の左側を前、右側を後とし、前から後ろを見たときの左右を左右とする。
【００６８】
まず、図６〜図８を参照して印刷用版２について説明する。
【００６９】
印刷用版２は、弾性材料により円筒状に形成された版本体４と、版本体４の内周に内向きに突出して軸方向にのびる係合部６と、版本体４の外周面の一部に形成された版部５とを備えるものである。
【００７０】
この例では、図６（ｂ）に示すように、版本体４は、長方形状の弾性材料製シート７が円筒状に形成されて両端部が重ね合わされて接合されることにより構成されている。係合部６は、接合部分８の内側に位置するシート７の端部が内側に折り曲げられて形成されている。版部５は、接合部分８を除く版本体４の外周面の所定箇所に設けられている。
【００７１】
接合部８の内側に位置するシート７の端部が内側に折り曲げられて、係合部６が形成されている。図７に破線で示すシート７の平坦な状態から実際に係合部６が折り曲げられた角度αを折り曲げ角度、係合部６と隣接するシート７の部分とのなす角度βをシート・係合部間角度という。折り曲げ角度αは９０度より大きい（シート・係合部間角度βは９０度より小さい）のが好ましく、折り曲げ角度αは１２５度〜１４５度（シート・係合部間角度βは５５度〜３５度）がさらに好ましく、折り曲げ角度αは１３５度（シート・係合部間角度βは４５度）が最も好ましい。この例では折り曲げ角度αは約１３５度、シート・係合部間角度βは約４５度である。
【００７２】
次に、この印刷用版２の製造方法の一例について説明する。
【００７３】
版本体４は、磁性あるいは非磁性の適当な金属等の弾性材料製シート７よりなる。この例では、市販のブリキ板（Ｆｅ）が採用されている。シート７の厚さは、円筒状に形成できて、かつ弾性力により円筒状を保持できる程度であればよい。この例では、約０．２６ｍｍである。
【００７４】
弾性材料製シート７には、版部となる樹脂層がその片面に形成されている。この樹脂層は、例えばポリビニルアルコール系、ビニルエステル系またはポリアミド系等の樹脂を採用することができ、ショアＤ硬度で例えば硬化後Ｄ２０〜８０程度のものが好適である。この例では、通常のオフセット印刷用のＵＶ硬化樹脂（紫外線硬化樹脂）を採用している。このような紫外線硬化樹脂を用いると、それ以外の硬化樹脂のような溶剤や高圧スチームによる煩雑な洗浄作業を必要とせず、一般に水洗浄で容易に洗浄作業を行うことができる。樹脂層の厚さは、印刷の版部５として必要な厚みがあればよく、この例では、弾性材料製シート７の片面に厚さ０．４〜０．６ｍｍの層を接着させている。
【００７５】
印刷用版２の製造は、図８（ａ）に示すように、まず弾性材料製シート７を、例えば所定サイズの長方形状に切り出す。この例では、アルミ缶等の表面印刷用の版を想定しており、１つの印刷用版２に２面の版部５を形成できるサイズとして、約幅１８０ｍｍ×長さ７５０ｍｍの長方形を採用している。
【００７６】
そして、図８（ｂ）に示すように、版部５とする部分に紫外線を照射して紫外線硬化させ、版部５とならない非版部となる未硬化部分を水で洗い落として除去する。このように非版部の樹脂層を除去するため、非版部が曲がりやすくなり、後工程で行うシート７を円筒状に曲げる曲げ加工を容易に行うことができる。なお、乾燥後、版部に未硬化部分が残らないように、後照射を行う。この例では、２つの版部５が、版本体４の接合部分８を除く外周の所定箇所に半周分離れて形成されている。各版部５の外周面が版面となっている。
【００７７】
なお、版部５に対する紫外線照射は、版部５のうち印刷模様が形成される印刷部に対してのみ行い、版部５の中に印刷模様が形成されない非印刷部が含まれている場合には、このような非印刷部に対しては紫外線照射を行わず、非版部とともに樹脂層を除去するようにすることが望ましい。このようにすると、より曲げ加工を容易に行うことができ、また、版部彫刻工程において非印刷部の樹脂層に対する彫刻時間を低減して、効率的に版部５を形成することができる。
【００７８】
次に、図８（ｃ）および図６（ａ）に示すように、長方形状のシート７の一端部を樹脂層の形成されていない下側（内側）に曲げ加工して係合部６を形成する。この係合部６の下方向曲げ加工長さは、後工程の円筒材成形工程のシリンダ部や、彫刻機や印刷機の版シリンダ部に装着される際、シリンダに形成された係合溝と確実に係合する幅があればよく、この例では、例えば約４ｍｍとしている。折り曲げ角度αは、この例では４５度としている。
【００７９】
次に、係合部６が形成されたシート７を円筒状に成形する円筒材成形工程を行う。具体的には、図８（ｄ）に示すように、係合部６が形成されたシート７を、円筒材成形工程用のシリンダ部材４０に巻き付けて丸め、シート７の両端部を重ね合わせて円筒状に接合する。シリンダ部材４０の外周面には係合溝４２が形成されており、シート７の係合部６をシリンダ部材４０の係合溝４２に係合させた状態で、シートをシリンダの外周面に巻き付けて丸めるようになっている。このようにシート７の端部の位置を固定して円筒形状に成形するため、加工を簡単に行うことができるとともに、高い形状精度を得ることができる。
【００８０】
シート７の接合手段は、接合強度が確保できれば任意の接合手段を採用することができるが、この例では接着剤とスポット溶接が用いられている。具体的には、シリンダ部材４０に巻き付ける前に、図６（ａ）に示すように、係合部６側のシート７の端部の係合部６と反対側の面に適当な接着剤９を塗布しておく。そして、シート７をシリンダ部材４０に巻き付けて円筒状に形成して、接着剤９の外側に反対側のシート７の端部７ａを重ね合わせて接合し、さらに必要に応じて接合部分８をスポット溶接により強固に接合する。図６（ｂ）において、１０はスポット溶接部を示している。
【００８１】
このようにシート７の両端部を重ね合わせて円筒状に接合するため、シート７の端面を突き合わせ溶接する場合等と比較して、円筒状の印刷用版２を容易に製造することができる。
【００８２】
こうして印刷用版２が円筒状に成形されれば、図８（ｅ）に示すように、この印刷用版２の版部５に対して印刷模様を彫刻する版部彫刻工程を行う。この例では、版部彫刻工程は、レーザー彫刻機を使用する。このレーザー彫刻機には、印刷対象物への印刷を行う印刷機が備える印刷用版の装着装置と同じ装着装置３を備えている。この装着装置３は、印刷用版２が装着される版シリンダ部１２を備えている。装着装置３の構成については後に詳述する。
【００８３】
このように、版部彫刻工程においてレーザー彫刻機を使用して印刷模様を彫刻するため、従来のフォトエッチング等に比較して、より解像度の高い線数の彫刻ができる。またネガフィルム工程が不要のため、予め硬化させた板に直接彫刻することができ、作業が簡素化される。
【００８４】
また、円筒材成形工程の後に版部彫刻工程を行うため、予め円筒状に成形された印刷用版２の所定位置に正確に版部５の印刷模様を形成することができる。特に、１つの印刷用版２に対して複数の版部５、たとえば２つの版部５を形成する場合には、彫刻機において複数の版部５の印刷模様の位置を決められるため、各版部５に形成された印刷模様間の相対的な位置合わせを正確に行うことができる。
【００８５】
なお、版部５への版の形成すなわち製版は、円筒状に丸める前の図６（ａ）のシート７の状態の版部５に対して行ってもよい。
【００８６】
次に、図１〜図５を参照して、版装着装置３の構成について説明する。
【００８７】
この版装着装置は、印刷対象物に対して印刷を行う印刷機、印刷機に用いられる印刷用版に対して印刷模様を彫刻する彫刻機に共通して備えられる。
【００８８】
このように、印刷システムを構成する印刷機と彫刻機とにおいて、共通の版装着装置を備えることにより、印刷機における印刷工程と同じ条件下で彫刻機における版部彫刻工程を行うことができ、両工程間での版部の位置ずれを解消することができる。
【００８９】
図１において、１１は図示しない印刷機の機枠に設けられた軸受けハウジングである。版駆動軸１の前側部分は軸受けハウジング１１に回転支持され、後側部部分は機枠に設けられた図示しない軸受けハウジングに回転支持されている。軸１は公知の駆動手段により所定方向（この例では前から見て時計方向）に所定速度で回転させられる。軸１の前端よりの部分は、軸受けハウジング１１より前方に突出しており、軸受けハウジング１１より前側の軸１の前端部に先細テーパー部１ａが形成されている。
【００９０】
版装着装置３は、軸テーパー部１ａに着脱ができるように固定される。
【００９１】
版装着装置３は、軸テーパ部１ａに固定される版シリンダ部１２を備えている。版シリンダ部１２は、中心に前側の内径の小さいテーパ孔１３が形成された円筒状をなし、その外周に、軸１と同心の円筒状の版装着面１４が形成されている。重量軽減のため、版シリンダ部１２の周方向の複数箇所（この例では４カ所）の内部が取り除かれている。それにより、版シリンダ部１２は、内周にテーパ孔１３が形成された）先細テーパ筒部１５と、外周に版装着面１４が形成された外側円筒部１６と、これらを連結する複数（この例では４つ）の連結部１７と版シリンダ部１２の前面と後面を覆う蓋部４４とから構成されている。版シリンダ部１２は、テーパ孔１３に軸テーパ部１ａをはめ合わせた状態で軸１に固定され、軸１と一体となって回転する。版シリンダ部１２の回転方向を、図２および図５に矢印Ｒで示している。
【００９２】
版装着面１４は、装着された版２の内面との摩擦抵抗による固定力を確保するため、その表面粗さはＲａ１μｍ以下程度で静摩擦を保つことが望ましい。また、その表面粗さを小さく保ち、かつ表面に傷が付きにくい点を考慮すると版装着面１４は、ハードクロム塗装（メッキ）することが好ましい。
【００９３】
版シリンダ部１２の外側円筒部１６の上部の連結部１７に対応する部分において、円筒面の一部が取り除かれて、平坦な版固定部材装着面１８が形成されており、外側円筒部１６の外周の版固定部材装着面１８を除く部分が版装着面１４となっている。版２の版部５は、版２が版シリンダ部１２に装着されたときに版装着面１４に密着する版本体４の部分に形成されて、版装着面１４の周方向長さは、版部５の周方向長さより長い。版固定部材装着面１８は、版装着面１４を含む円筒面より径方向内側に位置している。版装着面１４の前端部に、面取りにより先細テーパ面１９が形成されている。版装着面１４の外径と、版２の内径は同一となっている。
【００９４】
版シリンダ部１２の円筒部１６の後端面の外周部に、版装着面１４より径方向外側に少し張り出した円環状の軸方向位置決め用ストッパ２０が固定されている。
【００９５】
版固定部材装着面１８の回転方向前側の部分の軸方向全長に、版２の係合部６がはめられる周方向位置決め用溝２１が形成されている。溝２１と版装着面１４を含む円筒面のなす角度は、版２の係合部６のシート・係合部間角度βとほぼ等しい。また、溝２１は、その底部２１ａが開口部２１ｂより回転方向後側になるように形成されている。
【００９６】
周方向位置決め用溝２１と版装着面１４を含む円筒面のなす角度は、シート・係合部間角度βよりも小さめに採っておくと、図５に示すように、装着後、係合部６の先端６１が溝２１の内面の係合部から遠い側に接し、係合部６の折曲部６２が溝２１の内面の係合部６に近い側と接触することで、係合部６が長さ方向に溝２１幅内の２点で押さえられる。この結果、版２の位置決めが１点に動かずに決まり、装着後も版２の回転によるずれが起こらない。
【００９７】
版固定部材装着面１８の溝２１より回転方向後側の部分、この例では、版固定部材装着面１８の回転方向中間部より回転方向後側の部分に、第１凹所（版固定部材用凹所）２２が形成されている。凹所２２は、版固定部材装着面１８の軸方向長さの大部分にわたり、径方向外側から見て、軸方向に長い方形状をなす。凹所２２の横断面形状は方形状で、凹所２２の底壁および両側壁は平坦面である。第１凹所２２の長さの中間部に第１凹所２２より短い第２凹所（楔部材用凹所）２３が第１凹所２２の一部を径方向内側に延長した形に形成されている。第２凹所２３の横断面形状は方形状で、凹所２３の底壁および両側壁は平坦面である。
【００９８】
前後方向に長い版固定部材２４が、第１凹所２２に軸１の径方向に移動しうるようにはめられている。版固定部材２４は、周方向および軸方向に凹所２２にほぼ隙間なくはまり、凹所２２の周方向両側壁および軸方向両端壁に沿って径方向に移動する。版固定部材２４の径方向外側の端面２４ａは、版固定部材装着面１８と平行な平坦面である。この端面２４ａは、版装着面１４と同じ曲率、あるいは同程度の曲率の円筒面であってもよい。版固定部材２４の径方向内側の端面の軸方向中間部に、径方向内側に突出して第２凹所２３の径方向外側の部分にはまる突出部２４ｂが形成されている。突出部２４ｂの径方向内側の端面は、径方向内側および前側を向いた楔面２４ｃとなっている。版固定部材２４の一側面の前後二カ所に方形状のみぞ２４が形成されている。凹所２２の一側壁の上部の前後二カ所に、切り欠き部が形成され、これらの切り欠き部に、先端部が凹所２２内に突出する脱落防止部材２７が固定されている。各脱落防止部材２７は、版固定部材２４のみぞ２５に前後方向および径方向に隙間をもってはめられ、版固定部材２４の径方向の移動は許容するが、脱落を防止するようになっている。
【００９９】
第２凹所２３に、楔部材２８が前後方向に移動しうるようにはめられている。楔部材２８の径方向内側の端面は平坦面で、凹所２３の底壁に摺接している。楔部材２８は、周方向に凹所２３にほぼ隙間なくはまり、凹所２３の底壁および両側壁に沿って前後方向に移動する。楔部材２８の径方向外側の端面は、版固定部材２４の楔面２４ｃに対向して径方向外側および後側を向いた楔面２８ａとなっている。楔部材２８には、その前端面から後方にのびる雌ねじ２９が形成されている。
【０１００】
版固定部材２４の楔面２４ｃに、第１永久磁石３０が埋め込まれて固定されている。第２凹所２３の底壁に、第１永久磁石３０に対向する第２永久磁石３１が埋め込まれて固定されている。第１永久磁石３０と第２永久磁石３１は、互いに吸引するように配置され、この磁気吸引力により版固定部材２４を径方向内向きに付勢して版固定部材２４の楔面２４ｃを楔部材２８の楔面２８ａに圧接させる付勢手段を構成している。この付勢手段により、版固定部材２４によって印刷用版２を押させないときには、版固定部材２４を径方向内側の位置に保持することができる。
【０１０１】
第２凹所２３の前側の連結部１７の壁を貫通するように、前後方向にのびるねじ部材３２が設けられている。ねじ部材３２は、連結部１７の壁を前後に貫通する穴３３およびその前端面に固定された軸受け部材３４により、回転はするが前後に移動しないように支持されている。ねじ部材３２は、連結部１７の穴３３および軸受け部材３４に支持されたねじ部３５と、ねじ部３５を軸受け部材３４に通した後にねじ部３５の前端に固定される頭部３６とから構成されている。ねじ部３５は、連結部材１７の穴３３および軸受け部材３４に支持されており、第２凹所２３内にのびたねじ部３５の後部に、楔部材２８のめねじ２９とはまり合う雄ねじ３７が形成されている。頭部３６は連結部１７より前方に突出しており、その外周面に、軸方向にのびる多数の細かい回り止め突条３８が形成されている。連結部１７の前端面に、回り止め部材３９の基端部が固定されている。回り止め部材３９は、金属板などの弾性部材よりなり、その自由端部に形成された爪４０が、ねじ部材頭部３６の外周面の突条３８の間の部分に圧接して、ねじ部材３２の回り止めの機能を果たすようになっている。
【０１０２】
ねじ部材３２を押圧方向に回転させることにより、楔部材２８が押圧側（後側）に移動し、それにより、版固定部材２４が押圧側（径方向外側）に移動し、ねじ部材３２を反対側の押圧解除方向に回転させることにより、楔部材２８が押圧解除側（前側）に移動し、それにより版固定部材２４が押圧解除側（径方向内側）に移動する。ねじ部材３２および楔部材２８のめねじ２９により、楔部材２８を軸方向に移動させて任意の位置に固定するねじ手段が構成されている。
【０１０３】
版固定部材２４は、印刷用版２の版部５を含む外表面が形成する円筒面の内側の範囲内で、版シリンダ部１２に装着された印刷用版２の一部を径方向内側から径方向外側に押して拡径するようになっている。
【０１０４】
版シリンダ部１２の内部は、圧縮空気源（空気供給手段）により圧縮空気が供給される空気室４６が形成されており、版シリンダ部１２の外周面の軸方向および周方向の複数箇所に、空気室４６と連通する空気流出穴４８が形成されている。この空気流出穴４８は、
版シリンダ部１２の先端側の外径が先端に行くにつれて小さくなった部分にも形成されている。
【０１０５】
この版装着装置３に装着される版２の内径は、版シリンダ部１２の版装着面１４の外径とほぼ同じサイズに設定されている。図９に示すように、版シリンダ部１２はその外周の一部を切り欠いた版固定部材装着面１８を有しているため、版シリンダ部１２の版装着面１４と版固定部材装着面１８を合計した周長は、版シリンダ部１２の版装着面１４が形成する円筒面５０の周長より実質的に短くなる。版２の内周面の周長は、この版シリンダ部１２の版装着面１４と版固定部材装着面１８を合計した周長より僅かに大きく、かつ、版
シリンダ部１２の版装着面１４が形成する円筒面の周長より僅かに小さい寸法に設定されている。これにより、後述するように、版シリンダ部１２に対する印刷用版２の挿入を容易なものとするとともに、版固定部材２４に押された部位が印刷用版２の他の部位より径方向外側に突出する事態を回避することができるようになっている。
【０１０６】
版装着装置３に版２を取り付ける印刷板装着工程は、版固定部材２４を径方向内側に位置させて版２を径方向外側に押さない状態にしておく。このような状態で、版２の係合部６が版シリンダ部１２の溝２１にはまるように、版２を版シリンダ部１２の外周に一端部からはめて、版２の一端部をストッパ２０に当接させる。これにより、版２が、版シリンダ部１２の所定位置に正確にかつ簡単に取り付けられる。
【０１０７】
また、版２の内周面の周長は、版シリンダ部１２の外周面の周長より僅かに大きく設定されているため、版２を版シリンダ部１２の形状に合わせてたわませれば、版装着面１４と版２の間に隙間が形成され、版２を版シリンダ部１２に簡単に取り付けることができる。
【０１０８】
また、版２を取り付ける際には、空気流出穴４８から空気を流出させることにより、版シリンダ部１２の版装着面１４と印刷用版２との間に空気層を形成して、版シリンダ部１２に対する印刷用版２の装着をさらに容易なものとできる。
【０１０９】
版２が取り付けられたならば、ねじ部材３２を押圧方向に回転させて、版固定部材２４を径方向外側の押圧方向に移動させ、版２の接合部分８の内周に押し当てて、版２を径方向外側に押す押圧状態にする。このとき版固定部材２４により版２に所定の張力が付与されて、版２が版装着面１４に密着固定される。この状態でねじ部材３２の回転を停止して、回り止め部材３９によりその位置を固定する。また空気流出穴４８からの空気流出は止めておく。これにより、版２の装着が完了する。このとき、版部５全体が、版本体４を介して版装着面１４に密着している。
【０１１０】
版２が版シリンダ部１２に固定されたとき、図９に示すように、版固定部材２４によって拡径方向に押し出される版２の接合部分８の外周面高さ位置（径方向位置）は、版２の版部５の外表面が形成する円筒面より内側に位置するように設定されている。これにより、版固定部材２４により径方向外側に押されて拡径した印刷用版２の一部が、印刷用版２の版部５を含む外表面が形成する円筒面より外側にはみ出し、印刷用インキ等がその部分に付着して印刷汚れの原因となる事態を未然に防止することができる。
【０１１１】
また、版固定部材２４によって押し出される版２の部分は、シート７の両端部が重ね合わされた重ね合わせ部８であり、版部５が形成されていない非版部であるから、版部５が径方向外側に押されることがなく、版部５の変形を抑えて、印刷品質の低下を防止することができる。
【０１１２】
印刷機により印刷対象物に対して印刷模様を印刷する印刷工程では、上記のように版シリンダ部１２に版２が固定されている状態で、版シリンダ部１２が回転させられる。このとき、版固定部材２４によって版２が版装着面１４に密着固定され、しかも、版２の係合部６の先端側が回転方向Ｒ後側を向くことになり、係合部６が溝２１に食い込み、版２の位置がずれることがない。また、回り止め部材３９の爪４０が弾性力によってねじ部材頭部３６の突条３８の間の部分に食い込んでいるので、振動などによってねじ部材３２が回転してしまうことがない。
【０１１３】
版シリンダ部１２に装着されている版２を取り外すときには、ねじ部材３２を押圧解除方向に回転させて、版固定部材２４を押圧解除方向に移動させ、没入位置に固定する。これにより、版装着面１４および版固定部材２４と版２の間に隙間が生じ、版２を軸方向に移動させて、版シリンダ部１２の一端から簡単に取り外すことができる。
【０１１４】
また、版２を取り外す際には、空気流出穴４８から空気を流出させることにより、版シリンダ部１２の版装着面１４と印刷用版２との間に空気層を形成して、版シリンダ部１２から印刷用版２の取り外し操作をさらに容易なものとできる。
【０１１５】
印刷機、版装着装置３および印刷用版２の全体構成および各部の構成は、上記実施形態のものに限らず、適宜変更可能である。
【０１１６】
たとえば、版２は、円筒状の版本体に、それと別に作られた係合部が固定されたものであってもよい。また継ぎ目のない円筒材を用いても良い。
【０１１７】
ねじ部材３２は、上記実施形態では、手動で回転させられるようになっているが、電力などの動力によって回転させられてもよい。
【０１１８】
上記実施形態では、楔部材を軸方向に移動させて、版固定部材を径方向に移動させているが、版固定部材を手動あるいは動力によって直接径方向に移動させるようにしても良い。
【０１１９】
また、上記実施形態では、版固定部材を径方向に移動させることによって版２を径方向内側から径方向外側に押すようになっているが、たとえば、偏心した固定部材を回転させることによって版を径方向内側から径方向外側に押すようにしてもよい。
【符号の説明】
【０１２０】
１  版駆動軸
２  印刷用版
３  版装着装置
４  版本体
５  版部
６  係合部
１２  版シリンダ部
１４  版装着面
１８  版固定部材装着面
２０  軸方向位置決め用ストッパ
２１  周方向位置決め用溝
２２  第１凹所（版固定部材用凹所）
２３  第２凹所（楔部材用凹所）
２４  版固定部材
２４ａ  楔面
２８  楔部材
２８ａ  楔面
３０，３１  永久磁石
３２  ねじ部材
４０  シリンダ部材
４２  係合溝
４６  空気室
４８  空気流出穴
【図１】
2010253794.tif 000003
【図２】
2010253794.tif 000004
【図３】
2010253794.tif 000005
【図４】
2010253794.tif 000006
【図５】
2010253794.tif 000007
【図６】
2010253794.tif 000008
【図７】
2010253794.tif 000009
【図８】
2010253794.tif 000010
【図９】
2010253794.tif 000011